(57)【要約】【課題】      怪我や病気のために指が不自由な人が筆記具やスプーンなどを自分で持つことができるようにするための指用補助具を提供する。【解決手段】  握り部１と、握り部１から多方向に突出した複数本の棒２とからなる。握り部１は弾力性を有している。棒２が握り部１を貫通し且つ摺動可能であるとともに棒２の先端部に棒２が握り部１から抜けるのを防止するための抜止め３が設けられている。複数本の棒２が種々の色に着色されている。【選択図】    図２
2005046332.tif 000002
【特許請求の範囲】
【請求項１】
握り部と、該握り部から多方向に突出した複数本の棒とからなる指用補助具。
【請求項２】
前記握り部が弾力性を有することを特徴とする請求項１記載の指用補助具。
【請求項３】
前記棒が前記握り部を貫通し且つ摺動可能であることを特徴とする請求項１または２記載の指用補助具。
【請求項４】
前記棒の先端部に、棒が握り部から抜けるのを防止するための抜止めが設けられていることを特徴とする請求項３記載の指用補助具。
【請求項５】
前記複数本の棒が種々の色に着色されていることを特徴とする請求項１〜４のいずれか１項に記載の指用補助具。
【発明の詳細な説明】
【技術分野】
【０００１】
本発明は指の不自由な人のための指用補助具に関するものである。
【背景技術】
【０００２】
指を怪我したり、病気のために指が自由に動かない人は食事の際にスプーンやフォークも自分で持つことができず、また筆記具も持つことができないので不便をしている。不自由な手に筆記具などを持たせるためには介護者が筆記具をテープなどで固定してあげることが必要であり、人の手を借りなければ自由に物を持つことができず不便さを感じるものである。
【０００３】
従来、手に障害をもつ人のための食事補助具として、特許文献１（特開２００３−０５２５１２号公報）には手障害者用食事補助具が提案されている。この補助具は一対のスプーンを繋ぎ合わせた特殊なものであり、物を挟めるようにしたものである。しかしながら、このようなものも使える人と使えない人がいる。
【０００４】
また、特許文献２（特開平０５−１７７９７９号公報）には、筆記具用補助具が開示されている。この補助具では筆記具に保持体を取付けて、その保持体に手掌を載せて書くことにより、肩こりやペンダコの発生を防止するようにしたものである。
【０００５】
また、箸の正しい持ち方をするための補助具なども提案されている（例えば、特許文献３（特開２００２−３６０４０６号公報）、特許文献４（特開２００２−３４１７４７号公報）等）。これらは指が正常に動く人が箸を正しく持つための補助具であり、指が不自由な人には使用することができないものである。
【０００６】
このように従来は、指が不自由な人が物（筆記具、スプーン、フォーク等）を持つために適した補助具は提案されていなかった。
【特許文献１】特開２００３−０５２５１２号公報
【特許文献２】特開平０５−１７７９７９号公報
【特許文献３】特開２００２−３６０４０６号公報
【特許文献４】特開２００２−３４１７４７号公報
【発明の開示】
【発明が解決しようとする課題】
【０００７】
本発明は怪我や病気のため指が不自由な人が筆記具やスプーンなどを自分で持つことができるようにするための補助具を提供しようとするものである。
【課題を解決するための手段】
【０００８】
本発明は握り部と、該握り部から多方向に突出した複数本の棒とからなる指用補助具により前記課題を解決したものである。
【０００９】
本発明においては、前記握り部が弾力性を有していることが好ましい。また、前記棒が前記握り部を貫通し且つ摺動可能であることが好ましい。更に、前記棒の先端部に、棒が握り部から抜けるのを防止するための抜止めが設けられていることが好ましい。そして、前記複数本の棒が種々の色に着色されていることが好ましい。
【発明の効果】
【００１０】
本発明の指用補助具を使用すれば多数の方向に棒が出ているので、指の症状に合わせて握り部を握り、棒と握り部と自分との指の間で所望の物、例えば、スプーン、筆記具、鉤編針などをしっかりと持つことができる。
【００１１】
また、棒を握り部に対して摺動可能としたことにより、どのような指の症状にでも合わせ易くなっている。不自由な指がどれであっても、また指の動きがどのようになっていても、棒を摺動させて棒を引込めることにより棒と棒との間隔を開けたりすることができるので、どのような症状の人にも合わせ易くなっている。
【００１２】
また、棒が握り部に対して弱い力では容易に動かないようにすれば、棒の先端でキーボードを打つことも可能である。
【００１３】
本発明の補助具を使うことにより、怪我や病気のため指が不自由な人でも、他人の手を借りたりせずに自分自身で食事をとったり文字を書いたりすることが可能となる。
【発明を実施するための最良の形態】
【００１４】
本発明における指用補助具は、握り部から多方向に突出した複数本の棒とからなるものであるが、握り部自体が弾力性を有していることが好ましい。このように弾力性があると握り部と棒および指により、例えば、筆記具を持ったときも、よりしっかりと持つことができる。また、弾力性があると握った時の感触がよくなる。握り部から突出した棒は握り部に固定されたものであってもよいが、握り部を貫通し且つ握り部に対して摺動可能であることが好ましい。このように摺動可能とすることにより不自由な指に合わせて適当な棒をスライドさせることにより、指と棒の間およびその持つべき筆記具等との間隔を拡げたり狭めたりして、しっかりと持つことができる。
【００１５】
また、棒を摺動可能とした場合には、棒の先端部に棒が握り部から抜けるのを防止するための抜け止めを設けておくとよい。抜け止めは棒の最先端部に別のものを取付けて、棒の径よりも太くしてもよいし、或いは棒の先端部の一部分に突起を設けてもよい。
【００１６】
また、各人が何処の部分の棒を使えばよいか、どの状態が自分に適しているかを覚えておき易くするために、各棒に、例えば、黄色と赤と緑と白と水色などのように、別々の色を着色しておくことが好ましい。このようにすると、この青と黄色の間に人差指を入れて赤と白の間に中指を入れればよいとかと言うように覚えておくことにより、次回使用するときも簡単に物を持つことが可能となる。
【００１７】
握り部の形状は通常の人の掌で握るのが適当な大きさであり、例えば、その形状としては円柱形、卵形、球形などとすればよい。特に、円柱形のものがいろいろな方向に棒を突出させ易いので使用し易い。
【００１８】
また、握り部は握り部の本体が弾力性があり、その表面を被覆体で覆うような形にしてもよいし、或いは被覆体がない状態としてもよい。例えば、弾力性のあるゴムのようなものでは被覆体はなくてもよい。弾力性のあるものとして、発泡体や綿、織物や編物を丸めたものなどを使用する場合は中身がばらけないように、これを被覆体で覆うようにすればよい。握り部本体の強度がこのような場合は弱くなるので被覆体を用いることが好ましい。被覆体を使う場合は、被覆体の素材としては柔軟なシート状物が適当であり、例えば、布帛でもよいし、皮などのようなものでもよい。また、握り部の本体として内部に中空円筒を用いてもよい。
【００１９】
握り部の大きさは、円柱形の場合、その直径は３ｃｍ程度で長さが５、６ｃｍ程度のものが普通の手の大きさの人には使い易い。なお、握り部は手の小さい人や大きい人に合わせて大きさを大きくしたり小さくしたりすればよい。
【００２０】
また、棒を握り部から貫通させて摺動可能とした場合、その長さは特に限定されないが、あまり突出している長さが短いと使い難いので、棒の長さは１０ｃｍから１５ｃｍ程度が好ましい。棒の材料としては特に限定されないが、竹などはしなりもあり肌触りもよいので好ましい。
【実施例１】
【００２１】
図１は本発明の指用補助具の一実施例の斜視図であり、図２は図１に示した指用補助具を使用している状態を示す斜視図である。図３は握り部の端部付近で断面した図であり、図４は図３における被覆体を展開した平面図である。
【００２２】
本発明の指用補助具は握り部１と棒２とからなるものである。棒２は、本実施例では竹製であり、握り部１に対して多方向に突出しているものである。この実施例１においては握り部１は円柱形状をしたものであり、図３に示すように中空穴１３を有する握り部本体１１と握り部本体１１の周囲を被覆する被覆体１２とから構成されている。
【００２３】
握り部本体１１は、この実施例では発泡体（例えば発泡スチロール）から構成されているものである。発泡体は表面に凹凸があるため、および握り部本体１１に表面強度を持たせるため、この実施例では握り部本体１１の表面を被覆体１２で覆っている。被覆体１２は柔軟なシート状の素材からなるものであり、皮、編物、織物などが使用できる。
【００２４】
握り部１の円柱部の胴部を覆う被覆体１２を拡げると、この実施例においては図４に示したように、穴１４が多数設けられている。図１に示した実施例では、６本の棒２が握り部１を貫通し、且つ摺動可能に突き刺さった状態となっている。図４に示した穴１４は、この棒２が通るための穴である。棒２は円柱体形状をした握り部１の表面に対して単に直角方向に突出するだけではなく、斜め状態にも突出するように棒２の通し方を工夫することが好ましい。なお、この実施例では棒２の本数は６本であるが、棒２の本数は６本に限定されるものではない
図５は図４に示した被覆体１２に棒２を通すときの穴１４と棒２との関係を示すものであり、例えば図５に示したように、同じ符号（右上がり斜線、左上がり斜線、＋、−、○、△）で書かれた穴１４は１本の棒がそれぞれ突出するべき穴１４に対応するものである。このようにすると種々の方向に棒２が突出することができる。棒２の先端部には抜止め３が設けられており、棒３を握り部１に対して摺動させても握り部１から棒２が抜けてしまうことを防止している。なお抜止め３はこの実施例では棒全体に被さるように取付けられているが、棒２の一部分を太くするような突起を設けることとしてもよい。
【００２５】
握り部１はこのような構造としたので弾力性を有するものであり、握り締めた時の感触がよいものである。なお棒２を刺すための穴を握り部本体１１に設けるには、図４に示すような穴１４に対応した目印を握り部本体１１に付けて、棒２を通す前に握り部本体１１に穴を開けておけばよい。なお、この穴は棒２の直径と同じかやや小さめのものとして、棒２を弱い力で押した場合に簡単に動いてしまわないように、きつ目な状態とすることが好ましい。
【００２６】
棒２の素材は木製、竹製、金属製、プラスチック製等何れでもよいが、手触りなどの点からして竹製や木製にすることが好ましい。
【００２７】
更に、棒２は１本１本異なった色に着色しておくことが好ましい。このようにすることにより筆記具４を握るときは、この白と赤の棒を使用するとか、スプーンを握るときは黄色と青を使用するとかのように色別で覚えておくことができる。
【００２８】
図２は人差し指が自由に曲がらない症状の人が、筆記具４を持った状態を示している。この図２のように筆記具４を棒２と握り部１と親指によって支持することにより、人差し指が曲がらない状態であっても文字などを書くことができる。また、その手が不自由な人の状態に合わせてどのように指を掛けるかは、その症状に合わせればよい。その時の棒の長さなどは握り部１に対して摺動させることによって長くしたり、短くしたりすることができる。また、指に対して邪魔にならないように棒２を引っ込めて棒と棒との間を拡げたり、或いは突出させたりとかいろいろ工夫することができる。
【実施例２】
【００２９】
図６は本発明に係る補助具の実施例２の斜視図であり、図７はその握り部を断面した断面図である。この実施例において、実施例１と同じものには同じ符号を付し、それらの詳細な説明を省略する。
【００３０】
実施例２における指用補助具は握り部１が卵形をしている。また、図７に示すように、握り部１は握り部本体１１のみであり被覆体は存在しない。このような握り部１は柔軟なゴム弾性体で製作するのが好ましい。
【００３１】
また、この実施例２の指用補助具においては、棒２は握り部１に固定的に取着されているが、棒と棒との間隔は種々となっている。棒２は多方向に握り部１から突出している点は実施例１と同様である。
【００３２】
この実施例における指用補助具は、棒２が握り部１に対して摺動することはできないが、握り部１を適宜持ち変えることにより指が不自由な症状の人でも工夫して筆記具や、スプーンや、箸を使用することができる。
【図面の簡単な説明】
【００３３】
【図１】本発明に係る指用補助具の一実施例を示した斜視図である。
【図２】図１に示した指用補助具を使用している状態を示す斜視図である。
【図３】図１に示した握り部の断面図である。
【図４】図１に示した握り部の円柱体の胴部における被覆体を示す展開図である。
【図５】図４に示した被覆体の穴に棒を通すときの状態を示す説明図である。
【図６】本発明の指用補助具の別の実施例の斜視図である。
【図７】図６に示した指用補助具における握り部の断面図である。
【符号の説明】
【００３４】
１  握り部
２  棒
３  抜止め
４  筆記具
１１  握り部本体
１２  被覆体
１３  中空穴
１４  穴
【図１】
2005046332.tif 000003
【図２】
2005046332.tif 000004
【図３】
2005046332.tif 000005
【図４】
2005046332.tif 000006
【図５】
2005046332.tif 000007
【図６】
2005046332.tif 000008
【図７】
2005046332.tif 000009